(57)【要約】【課題】机上の作業をしながらでも肩、首すじなどを効果的に指圧すること。【解決手段】肩、首すじなどの指圧部位に圧力を加えるための指圧手段２と、指圧手段２に繋がれたベルトの長さを調整する長さ調整手段を有するベルト３と、ベルト３と繋がり足にかけるためのベルト４とを設けて、足でベルト４を引っ張ることによって指圧手段２を指圧部位へ押し付けることにより指圧を行う。また、ベルト４に足の裏を指圧するための凸起を設ける。【選択図】　図１
0003098753.tif 000002
【実用新案登録請求の範囲】
【請求項１】
肩、首すじなどの指圧部位に圧力を加えるための指圧手段と、前記指圧手段に繋がれた長さ調整手段を有する第１の接続手段と、前記第１の接続手段と繋がり足にかけるための第２の接続手段とを備え、足の力によって前記指圧手段の指圧部位への圧力を調整可能に構成されたことを特徴とする指圧器。
【請求項２】
前記第２の接続手段は、足の裏を指圧するための凸起を備えたことを特徴とする請求項１記載の指圧器。
【請求項３】
前記長さ調整手段は、前記第１の接続手段と前記第２の接続手段との接続位置が人体の膝の近傍になるように調整可能であることを特徴とする請求項１または２に記載の指圧器。
【請求項４】
前記指圧手段は、全長約３００ｍｍ、直径約２５ｍｍのパイプ状の指圧手段であって、パイプ内に前記第１の接続手段を通すことによって、前記指圧手段と前記第１の接続手段とを繋ぐことを特徴とする請求項１ないし３のいずれか一に記載の指圧器。
【考案の詳細な説明】
【０００１】
【考案の属する技術分野】
本考案は、人体の肩や首すじなどを器具によって指圧する指圧器に係り、特に電気等の動力を必要とせず机上の作業をしながら指圧をすることのできる指圧器に関する。
【０００２】
【従来の技術】
従来、人体の肩や首すじなどを指圧する器具としては、椅子に装着するもの、片手あるいは両手を使って指圧するもの、あるいは、寝て使うものなどが提案されている。
【０００３】
たとえば、特開２００２−２９１８３７号公報の「ドライバー用の健康器具」では、車のドライバーの座席に装着して、手軽で簡単に腰から背中、肩、首まで自在に指圧ができるドライバー用の健康器具が提案されている。また、登録実用新案第３０１２７４９号公報の「指圧器」では、指圧器の基盤面の両面または片面に、Ｘ・Ｙ方向に列状にまたはランダムに指圧用の突起を有し、車両のヘッドレスト支持ロッドへの取り付け用を兼ねたベルト状の取っ手を有する構成の車載用の指圧器が提案されている。
【０００４】
さらに、特開平９−２４０７８号公報の「マサージ棒」では、棒体（マッサージ棒）の両端部分をそれぞれ手で持って肩や首の後ろに回し、一対の指圧用突起部分で肩や首すじの所望の部位を挟む位置に当て、両手もしくは片手を動かして、指圧用突起部分で挟んだ部位を挟むように動かすことによって、身体の各部位を自分自身で揉みほぐすことのできる器具が提案されている。
【０００５】
また、特開２０００−６０９３６号公報の「首肩指圧器」では、指圧器本体の突起部分にくぼみを作り、その上に弾性体の指圧部分をとれないように接着剤で固定させ、首肩同時に指圧することの可能な首肩指圧器が提案されている。
【０００６】
【考案が解決しようとする課題】
ところで、コンピュータなどを使う机上の作業（デスクワーク）は、肩や首すじなどの疲労が蓄積しやすく、手軽に疲労を除去することのできる器具が望まれている。
【０００７】
しかしながら、従来の技術では、指圧をするために両手または片手を使用しなければならず、そのために作業を中断しなければならないという問題があった。また、寝て使用するような場合は、即座に使用することができず、車の座席に装着するような場合は、そのための構造を有する座席を準備する必要があった。
【０００８】
本考案はかかる従来の事情に対処してなされたものであり、机上の作業をしながらでも肩や首すじなどを指圧することのできる指圧器を提供することを目的とする。
【０００９】
【課題を解決するための手段】
上記目的を達成するため、請求項１の考案に係わる指圧器では、肩、首すじなどの指圧部位に圧力を加えるための指圧手段と、前記指圧手段に繋がれた長さ調整手段を有する第１の接続手段と、前記第１の接続手段と繋がり足にかけるための第２の接続手段とを備え、足の力によって前記指圧手段の指圧部位への圧力を調整可能に構成されたことを特徴とする。
【００１０】
請求項１記載の考案では、両手を使わず足で指圧部位に圧力をかけるので、作業を中断せずに指圧をすることができる。また、指圧手段と足とをつなぐ接続手段を、第１の接続手段と第２の接続手段に分けたので、一つの接続手段（ベルトなど）を直接足にかけるのに比べて安定して指圧部位に力を加えることができる。
また、指圧手段と繋がる第１の接続手段に長さを調整する手段を設けたので、指圧器のユーザは、当該指圧器を装着した状態で容易に長さの調整することができる。
【００１１】
なお、第１の接続手段、第２の接続手段は、それぞれ単数のみならず複数の接続手段で構成されている場合も含む。
【００１２】
請求項２の考案に係わる指圧器では、さらに、前記第２の接続手段は、足の裏を指圧するための凸起を備えたことを特徴とする。
【００１３】
請求項２記載の考案では、足にかける第２の接続手段に、凸起を設けたので、足のツボにも効果がある。さらに、人間の自然な動きとして足のツボに当たるように調整するため、第２の接続手段をしっかりと足で支えることができる。
【００１４】
請求項３の考案に係わる指圧器では、さらに、前記長さ調整手段は、前記第１の接続手段と前記第２の接続手段との接続位置が人体の膝の近傍になるように調整可能であることを特徴とする。
【００１５】
請求項３記載の考案では、膝によってベルトなどの接続手段を安定して固定することができ、その結果、指圧手段を確実にかつ安定して指圧部位に当てることができる。特に第１の接続手段を膝頭下部で引っ張って支えるようにすると初心者でも容易に安定させることができる。
【００１６】
請求項４の考案に係わる指圧器では、さらに、前記指圧手段は、全長約３００ｍｍ、直径約２５ｍｍのパイプ状の指圧手段であって、パイプ内に前記第１の接続手段を通すことによって、前記指圧手段と前記第１の接続手段とを繋ぐことを特徴とする。
【００１７】
請求項４記載の考案では、からだにフィットするサイズで、かつ簡単・安価な構造で十分指圧効果のある指圧器を実現することができる。なお、パイプの材質は塩化ビニルなどが軽量で適している。なお、上記サイズは、プラス、マイナス２０％位までが効果が大きい。
【００１８】
【考案の実施の形態】
以下に本考案に係る指圧器の実施の形態を図１に基づいて説明する。
【００１９】
図１において、指圧器１は、身体の指圧部位に圧力を加えるための塩化ビニル製のパイプ（指圧手段）２、パイプ２の空洞部に通されたベルト（接続手段）３、このベルト３と繋がる他のベルト（接続手段）４から構成されている。また、ベルト３は、長さを調整できるように長さ調整手段５を備えている。
【００２０】
この指圧器１は、ベルト３をパイプ２に通すと共に、リング状のベルト４にくぐらせ、長さ調整手段５で適当な長さで固定することによって組み立てることができる。
【００２１】
次に、この指圧器１の使い方を図２を用いて説明する。指圧器１のユーザは、パイプ２を肩にあて、ベルト３に頭を通すと共に、パイプと反対側の肩および腕を通し、ベルト４をパイプと反対側の足の土踏まずの位置にかける。
【００２２】
膝に少しゆとりを残した状態で、ベルト３および４が緊張状態になるように長さ調整手段５でベルト３の長さを調整する。
【００２３】
そして、パイプ２を肩の指圧部位にあて、足を伸ばすようにしてベルト４を引っ張ることによって、パイプ２で指圧部位を適度な力で圧迫する。
【００２４】
ベルト３とベルト４の接続位置が、だいたい人体の膝の位置にくるようにベルト３とベルト４の長さの比率を定めると使用しやすい。これは、膝をベルト３とベルト４の接続位置に当てることによって、ベルトが安定するからである。
【００２５】
なお、パイプ２を長さ約３００ｍｍ、直径約２５ｍｍ程度にすると、ベルト３を肩に通したときに胸などにさほど触れずベルト３，４が安定し、また、人体の指圧部位に効果的に圧力をかけることができる。
【００２６】
また、パイプ２の材質は、塩化ビニルに限らず、軽量で適度な硬さを有する材質のものであれば使用可能である。
【００２７】
本実施の形態によれば、両手を使わず足で指圧部位に圧力をかけるので、作業を中断せずに指圧をすることができる。また、指圧手段と足とをつなぐベルトを２つに分けたので、一つのベルトを直接足にかけるのに比べて安定して指圧部位に力を加えることができる。特に２つのベルトの接続位置を人体の膝の位置付近にもってきたので、膝によってベルトを安定して固定することができ、これによって指圧手段を確実にかつ安定して指圧部位に当てることができる。
【００２８】
さらに、指圧手段と繋がるベルト３で長さを調整するので、ユーザは指圧器を装着した状態で容易に長さの調整することができる。また、ベルト４の長さを一定状態に保つことによって、両ベルトの接続位置を膝位置に維持することができる。
【００２９】
なお、本実施の形態では、ベルトをベルト３とベルト４の２つに分けることにしたが、２つ以上ならばいくつに分割してもよい。たとえば、ベルト４を足にかけるためのベルトと膝までのベルトで構成するようにしてもよい。
【００３０】
また、長さ調整手段５に所定値以上の引っ張り力で外れる安全手段を設けるようにしてもよい。さらに、指圧手段２をベルトの引っ張り力によって撓み首すじなどを圧迫するような他の指圧手段に取替え可能にすると用途に応じて適切な指圧が可能となる。
【００３１】
また、ベルト４に関する他の実施例として、図３に示すように、ベルト４に足裏の形状に合わせて僅かに掘り下げられた凹部４１と、この凹部４１上に凸起４２を設けるようにしてもよい。このとき、ベルトをゴム製にすると、凹部４１の加工および凸起４２の形成がしやすい。
【００３２】
このようにすれば、足のツボにも効果があるのみならず、人間の自然な動きとして足のツボに当たるように調整するため、ベルトをしっかりと足で支えることができる。
【００３３】
【考案の効果】
以上説明したように、本考案の指圧器においては、机上の作業をしながらでも肩、首すじなどを指圧することが可能となる。
【図面の簡単な説明】
【図１】本考案の実施の形態による指圧器の斜視図
【図２】図１の指圧器の使用状態の説明図
【図３】図１のベルト４の足にかける部分の形状を示す斜視図
【符号の説明】
１…指圧器、２…指圧手段、３、４…ベルト（接続手段）、５…長さ調整手段、４１…凹部、４２…凸起
【図１】
0003098753.tif 000003
【図２】
0003098753.tif 000004
【図３】
0003098753.tif 000005